(57)【特許請求の範囲】
【請求項１】
内側中央が貫通した四角状の管体であって、外周面の前面に長手方向に設けられた線形凹部と、左右両側面に長手方向に設けられたレール溝と、背面に長手方向に設けられた固定溝と、内側角部に設けられた固定部材固定溝とから構成される樋と；
平板状の支持板と、前記支持板の一端の一側方向に設けられ、上側面と下側面には同一間隔で多数設けられた同一形状の離脱止め具を有する嵌め込み端と、前記支持板の他端に前記嵌め込み端と同一の方向に設けられ、前記樋のレール溝にスライド方式で嵌め込まれて前記樋が離脱しないように固定するレール端と、前記嵌め込み端と前記レール端が設けられた方向に前記嵌め込み端と前記レール端との間に設けられ、下側末端面には前記樋の固定溝に係止される係止突起を有する固定端とから構成される一対の固定クリップと；
中央に固定部材取付孔が設けられた四角状の平板体と、該平板体の上側と下側に設けられた嵌め込み部とから構成され、前記一対の固定クリップが前記嵌め込み部の左右側からスライド方式で嵌め込まれて固定される嵌め込み具と；
を備える、雨水排水用竪樋組立体。
【請求項２】
前記固定クリップの嵌め込み端に設けられた前記離脱止め具が係止されるように、前記嵌め込み具の平板体に固定段部がさらに設けられる、請求項１に記載の雨水排水用竪樋組立体。
【請求項３】
壁体に位置された嵌め込み具に設けられた固定部材取付孔に、固定部材を取り付けて前記嵌め込み具を前記壁体に固定されるステップと、
前記嵌め込み具に設けられた嵌め込み部に一対の固定クリップの嵌め込み端を左右両側から押し込んで嵌着されるステップと、
樋のレール溝には前記固定クリップのレール端、前記樋の固定溝には前記固定クリップの固定端に設けられた係止突起が、それぞれ嵌め込まれるステップと、
を含む、雨水排水用竪樋組立体の施工方法。
【発明の詳細な説明】
【技術分野】
【０００１】
本発明は、雨水排水用竪樋組立体及びその施工方法に係り、さらに詳しくは、簡単な組立による簡便な施工により施工現場での作業性に優れるうえ、優れた耐久性を有し、精密な施工で堅固な結合を保障することが可能な雨水排水用竪樋組立体及びその施工方法に関する。
【背景技術】
【０００２】
樋とは、建築物の屋根に降った雨水を集めて排出させる半円形の筒又は管を意味するもので、錆が付かない材質を用いて、長時間使用しても雨水が無駄に漏れないようにすることが主な使用目的であるといえる。樋の種類としては軒樋（ｅａｖｅｓ  ｇｕｔｔｅｒ）、竪樋（ｒａｉｎ  ｌｅａｄｅｒ  ｇｕｔｔｅｒ）、あんこう、飾り桝、這い樋などがある。
【０００３】
樋は、錆付きを防止するために一般にＰＶＣが使われているが、１ｋｍ以上の屋根のように長い屋根の場合、現場施工の容易性や連結の際に破れない特性などにより鋼材が広く用いられている。
【０００４】
樋は、屋根の全長に相応する長さを有し、その構造を持つためには、樋の材質として用いられる鋼材を一定の長さに折曲器で折り曲げた後、各折曲加工された樋の端部を、ジョイント部分に、別途のシラント処理を含むリベット接合または溶接接合の工程を用いて連結又は接合する方式を取っている。
【発明の概要】
【発明が解決しようとする課題】
【０００５】
ところで、上述したような樋は、組み立てて施工するにあたって不便さが大きいうえ、太陽熱または気候変化により伸縮及び膨張してクラックを誘発し或いは接合された樋シャーシの隙間を誘発するという問題点があった。
【０００６】
また、溶接接合は建築の現場で行われるが、現場で頻繁に発生する溶接接合の悪条件によって溶接接合の品質の均一性を保障することができないうえ、溶接ビード面に発生する錆により瑕疵の発生を誘発した。
【０００７】
したがって、簡単な組立及び施工により屋根に連結されることにより完璧な防水性能を保障し、瑕疵の発生を最小化することが可能な新しい雨水排水用竪樋の組立構造に対する開発必要性が台頭している実情である。
【０００８】
そこで、本発明は、上述した問題点を解決するためのもので、その目的は、作業性に優れた雨水排水用竪樋組立体を提供することにある。
【０００９】
本発明の他の目的は、優れた耐久性を有し、堅固な結合を保障することができるうえ、外観に優れた竪樋組立体及びその施工方法を提供することにある。
【００１０】
本発明の別の目的は、外部の衝撃にも離脱しないようにする竪樋組立体を提供することにある。
【課題を解決するための手段】
【００１１】
上記目的を達成するために、本発明は、内側中央が貫通した四角状の管体であって、外周面の前面に長手方向に設けられた線形凹部と、左右両側面に長手方向に設けられたレール溝と、背面に長手方向に設けられた固定溝と、内側角部に設けられた固定部材固定溝とから構成される樋；平板状の支持板と、前記支持板の一端の一側方向に設けられ、上側面と下側面には同一間隔で多数設けられた同一形状の離脱止め具を有する嵌め込み端と、前記支持板の他端に前記嵌め込み端と同一の方向に設けられ、前記樋のレール溝にスライド方式で嵌め込まれて前記樋が離脱しないように固定するレール端と、前記嵌め込み端と前記レール端が設けられた方向に前記嵌め込み端と前記レール端との間に設けられ、下側末端面には前記樋の固定溝に係止される係止突起を有する固定端とから構成される一対の固定クリップ；及び中央に固定部材取付孔が設けられた四角状の平板体と、該平板体の上側と下側に設けられた嵌め込み部とから構成され、前記一対の固定クリップが前記嵌め込み部の左右側からスライド方式で嵌め込まれて固定される嵌め込み具；を含んでなる、雨水排水用竪樋組立体を提供する。
【発明の効果】
【００１２】
上述したような本発明は、簡単な組立による簡便な施工により施工現場での作業性に優れて人件費が節約されるうえ、施工時間を短縮させることができて施工費が節約される経済性のある発明である。
【００１３】
また、本発明は、アルミニウム素材を用いることにより、加工及び運搬が容易であるうえ、紫外線や雨水にも強いという長所がある。
【００１４】
また、本発明は、耐久性に優れるうえ、精密な施工により堅固な結合を保障することができるため、樋の離脱現象を防止することができ、優れた外観を示す非常に有用な発明である。
【図面の簡単な説明】
【００１５】
【図１ａ】本発明の実施例に係る雨水排水用竪樋組立体の樋を示す斜視図である。
【図１ｂ】本発明の実施例に係る雨水排水用竪樋組立体の樋を示す平面図である。
【図２ａ】本発明の実施例に係る雨水排水用竪樋組立体の固定クリップを示す斜視図である。
【図２ｂ】本発明の実施例に係る雨水排水用竪樋組立体の固定クリップを示す平面図である。
【図３ａ】本発明の実施例に係る雨水排水用竪樋組立体の嵌め込み具を示す斜視図である。
【図３ｂ】本発明の実施例に係る雨水排水用竪樋組立体の嵌め込み具を示す正面図である。
【図３ｃ】本発明の他の実施例に係る雨水排水用竪樋組立体の嵌め込み具を示す斜視図である。
【図３ｄ】本発明の他の実施例に係る雨水排水用竪樋組立体の嵌め込み具を示す正面図である。
【図４】本発明の実施例に係る雨水排水用竪樋組立体の樋固定具を示す斜視図である。
【図５】本発明の実施例に係る雨水排水用竪樋組立体を示す分離斜視図である。
【図６ａ】本発明の実施例に係る雨水排水用竪樋組立体を示す結合斜視図である。
【図６ｂ】本発明の実施例に係る雨水排水用竪樋組立体の樋固定具を示す平面図である。
【図６ｃ】本発明の実施例に係る雨水排水用竪樋組立体の樋固定具を示す透明平面図である。
【図７ａ】本発明の実施例に係る雨水排水用竪樋組立体の施工方法を示す斜視図である。
【図７ｂ】本発明の実施例に係る雨水排水用竪樋組立体の施工方法を示す斜視図である。
【図７ｃ】本発明の実施例に係る雨水排水用竪樋組立体の施工方法を示す斜視図である。
【図７ｄ】本発明の実施例に係る雨水排水用竪樋組立体の施工方法を示す斜視図である。
【図８】本発明の実施例に係る雨水排水用竪樋組立体の使用状態図である。
【発明を実施するための形態】
【００１６】
上記目的を達成するために、本発明の雨水排水用竪樋組立体は、内側中央が貫通した四角状の管体であって、外周面の前面に長手方向に設けられた線形凹部と、左右両側面に長手方向に設けられたレール溝と、背面に長手方向に設けられた固定溝と、内側角部に設けられた固定部材固定溝とから構成される樋；平板状の支持板と、前記支持板の一端の一側方向に設けられ、上側面と下側面には同一間隔で多数設けられた同一形状の離脱止め具を有する嵌め込み端と、前記支持板の他端に前記嵌め込み端と同一の方向に設けられ、前記樋のレール溝にスライド方式で嵌め込まれて前記樋が離脱しないように固定するレール端と、前記嵌め込み端と前記レール端が設けられた方向に前記嵌め込み端と前記レール端との間に設けられ、下側末端面には前記樋の固定溝に係止される係止突起を有する固定端とから構成される一対の固定クリップ；及び中央に固定部材取付孔が設けられた四角状の平板体と、該平板体の上側と下側に設けられた嵌め込み部とから構成され、前記一対の固定クリップが前記嵌め込み部の左右側からスライド方式で嵌め込まれて固定される嵌め込み具；を含んでなる。
【００１７】
以下、本発明に係る実施例を添付図面に基づいて詳細に説明する。
【００１８】
本発明の実施例に係る雨水排水用竪樋組立体は、樋１００、固定クリップ２００及び嵌め込み具３００から構成される。
【００１９】
図１ａは本発明の実施例に係る雨水排水用竪樋組立体の樋を示す斜視図、図１ｂは本発明の実施例に係る雨水排水用竪樋組立体の樋を示す平面図である。
【００２０】
図１ａ及び図１ｂを参照すると、本発明に係る雨水排水用竪樋組立体の樋１００は、内側中央が貫通した四角状の管体であって、外周面の前面に長手方向に線形凹部１１０が設けられ、左右両側面に長手方向にレール溝１２０が設けられ、背面に長手方向に固定溝１３０が設けられ、内側角部には４つの固定部材固定溝１４０が設けられる。
【００２１】
図２ａは本発明の実施例に係る雨水排水用竪樋組立体の固定クリップを示す斜視図、図２ｂは本発明の実施例に係る雨水排水用竪樋組立体の固定クリップを示す平面図である。
【００２２】
図２ａ及び図２ｂを参照すると、本発明に係る雨水排水用竪樋組立体の固定クリップ２００は、平板状の支持板２１０、嵌め込み端２２０、レール端２３０及び固定端２４０から構成され、一対の固定クリップ２００がそれぞれ嵌め込み具３００の左右側からスライド方式で前記嵌め込み具３００に嵌め込まれて固定される。
【００２３】
前記嵌め込み端２２０は、前記支持板２１０の一端の一側方向に設けられ、上側面と下側面には同一間隔で多数設けられた同一形状の離脱止め具２２１を有する。
【００２４】
本発明の雨水排水用竪樋組立体を構成する固定クリップ２００の嵌め込み端２２０に設けられた離脱止め具２２１は、３つ備えることが好ましい。前記離脱止め具２２１は、前記固定クリップ２００が嵌め込み具３００に取り付けられるときに嵌め込まれる方向には容易に挿入されるようにしながら、前記嵌め込み具３００から固定クリップ２００が容易に離脱しないようにするために、進行方向に傾斜を与えるとともに、一端には段差部２２２を有する。
【００２５】
前記レール端２３０は、前記支持板２１０の他端に前記嵌め込み端２２０と同一の方向に設けられ、前記樋１００のレール溝１２０にスライド方式で嵌め込まれて前記樋１００が壁体１０から離脱しないように固定する役目をする。
【００２６】
前記固定端２４０は、前記嵌め込み端２２０と前記レール端２３０が設けられた方向に前記嵌め込み端２２０とレール端２３０との間に設けられ、下側末端面には前記樋１００の固定溝１３０に係止される係止突起２４１を有する。
【００２７】
図３ａは本発明の実施例に係る雨水排水用竪樋組立体の嵌め込み具を示す斜視図、図３ｂは本発明の実施例に係る雨水排水用竪樋組立体の嵌め込み具を示す正面図である。
【００２８】
図３ａ及び図３ｂを参照すると、本発明に係る雨水排水用竪樋組立体の嵌め込み具３００は、中央に固定部材取付孔３２０が設けられた四角状の平板体３０５と、前記平板体３０５の上側と下側に長手方向に設けられた嵌め込み部３１０とから構成され、前記一対の固定クリップ２００が前記嵌め込み部３１０の左右側からスライド方式で嵌め込まれて固定される。
【００２９】
図３ｃは本発明の他の実施例に係る雨水排水用竪樋組立体の嵌め込み具を示す斜視図、図３ｄは本発明の他の実施例に係る雨水排水用竪樋組立体の嵌め込み具を示す正面図である。
【００３０】
図３ｃ及び図３ｄを参照すると、 本発明の他の実施例に係る雨水排水用竪樋組立体の嵌め込み具３０１は、中央に固定部材取付孔３２０が設けられた四角状の平板体３０５に固定段部３３０が設けられ、上側と下側には長手方向に嵌め込み部３１０が設けられており、前記一対の固定クリップ２００が前記嵌め込み部３１０の左右側からスライド方式で嵌め込まれ、前記固定クリップ２００の嵌め込み端２２０の離脱止め具２２１が前記嵌め込み具３０１の固定段部３３０に係止される。
【００３１】
本発明に係る雨水排水用竪樋組立体の樋固定具４００は、固定クリップ２００と嵌め込み具３００、３０１から構成される。図４は本発明の実施例に係る雨水排水用竪樋組立体の樋固定具を示す斜視図である。図４を参照すると、前記樋固定具４００は、嵌め込み具３０１、及び嵌め込み具３０１に締結される一対の固定クリップ２００から構成され、本発明に係る竪樋組立体の樋１００を壁体に固定するための構成である。
【００３２】
前記樋固定具４００によって、樋１００を簡単に壁体に固定することができるため、施工が便利な長所だけでなく、精密かつ堅固な施工で樋１００の離脱を防止することが可能な効果もある。
【００３３】
図５は本発明の実施例に係る雨水排水用竪樋組立体を示す分離斜視図、図６ａは本発明の実施例に係る雨水排水用竪樋組立体を示す結合斜視図、図６ｂは本発明の実施例に係る雨水排水用竪樋組立体の樋固定具を示す平面図、図６ｃは本発明の実施例に係る雨水排水用竪樋組立体の樋固定具を示す透明平面図である。
【００３４】
図５〜図６ｃを参照すると、本発明の実施例に係る雨水排水用竪樋組立体は、樋１００、固定クリップ２００及び嵌め込み具３０１から構成されるもので、壁体に固定される前記嵌め込み具３０１には一対の固定クリップ２００が結合固定され、前記樋１００は前記固定クリップ２００と嵌め込み具３０１とからなる樋固定具４００に締結されて結合固定される。
【００３５】
図７ａ〜図７ｄは本発明の実施例に係る雨水排水用竪樋組立体の施工方法を示す斜視図である。図７ａ〜図７ｄを参照すると、壁体１０に嵌め込み具３０１を位置させ、前記嵌め込み具３０１に設けられた固定部材取付孔３２０に固定部材２０を取り付けて前記嵌め込み具３０１を壁体１０に固定する。
【００３６】
しかる後に、前記嵌め込み具３０１に設けられた嵌め込み部３１０に一対の固定クリップ２００の嵌め込み端２２０を左右両側からスライド方式で押し込んで嵌め込み、前記嵌め込み端２２０の離脱止め具２２１が嵌め込み具３０１の固定段部３３０に係止されるようにする。
【００３７】
その後、前記固定クリップ２００に樋１００を固定するために、樋１００のレール溝１２０には前記固定クリップ２００のレール端２３０、前記樋１００の固定溝１３０には前記固定クリップ２００の固定端２４０の係止突起２４１をそれぞれ嵌め込むことにより、本発明に係る雨水排水用竪樋組立体の施工を仕上げる。
【００３８】
一方、屋根から流下して水受けを介して集まった雨水は、誘導集水筒へ移動し、前記誘導集水筒に集まった雨水はさらに集水筒に移動して竪樋に沿って地上へ移動する。
【００３９】
図８は本発明の実施例に係る雨水排水用竪樋組立体の使用状態図である。図８を参照すると、集水筒５００に結合し、壁体１０に固定された本発明に係る雨水排水用竪樋組立体を示すものであって、前記集水筒５００と本発明に係る雨水排水用竪樋組立体の樋１００は、前記集水筒５００の内側に設けられた固定部材固定溝１４０、及び樋の内側角部に設けられた４つの固定部材固定溝１４０に固定部材２０を締結することにより固定される。
【符号の説明】
【００４０】
１０    壁体
２０    固定部材
１００    樋
１１０    線形凹部
１２０    レール溝
１３０    固定溝
１４０    固定部材固定溝
２００    固定クリップ
２１０    支持板
２２０    嵌め込み端
２２１    離脱止め具
２２２    段差部
２３０    レール端
２４０    固定端
２４１    係止突起
３００、３０１    嵌め込み具
３０５    平板体
３１０    嵌め込み部
３２０    固定部材取付孔
３３０    固定段部
４００    樋固定具
５００    集水筒
【図１ａ】
0005424284.tif 000002
【図１ｂ】
0005424284.tif 000003
【図２ａ】
0005424284.tif 000004
【図２ｂ】
0005424284.tif 000005
【図３ａ】
0005424284.tif 000006
【図３ｂ】
0005424284.tif 000007
【図３ｃ】
0005424284.tif 000008
【図３ｄ】
0005424284.tif 000009
【図４】
0005424284.tif 000010
【図５】
0005424284.tif 000011
【図６ａ】
0005424284.tif 000012
【図６ｂ】
0005424284.tif 000013
【図６ｃ】
0005424284.tif 000014
【図７ａ】
0005424284.tif 000015
【図７ｂ】
0005424284.tif 000016
【図７ｃ】
0005424284.tif 000017
【図７ｄ】
0005424284.tif 000018
【図８】
0005424284.tif 000019